(57)【特許請求の範囲】
【請求項１】
本体内に構成された商品収納庫の前面開口部を開閉自在に閉塞する上断熱扉及びこの上断熱扉の下側に位置する下断熱扉を備えて成る自動販売機において、
前記下断熱扉を前記上断熱扉よりも奥方に位置させ、前記本体の内側に配置すると共に、この上断熱扉の下部後面を前記下断熱扉の上部前面に密接させたことを特徴とする自動販売機。
【請求項２】
本体内に構成された商品収納庫内に設置された商品収納コラムと、この商品収納コラムの前方に位置して前記商品収納庫の前面開口上部を開閉自在に閉塞する商品装填用の上断熱扉と、この上断熱扉の下側に位置して前記商品収納庫の前面開口下部を開閉自在に閉塞すると共に、前記商品収納コラムからの商品を排出する商品排出口が形成された保守用の下断熱扉とを備えた自動販売機において、
前記下断熱扉を前記上断熱扉よりも奥方に位置させ、前記本体の内側に配置すると共に、この上断熱扉の下部後面を前記下断熱扉の上部前面に密接させたことを特徴とする自動販売機。
【請求項３】
上断熱扉の下部後面には下断熱扉の上部前面に密着するシール部材を設けたことを特徴とする請求項１又は請求項２の自動販売機。
【請求項４】
下断熱扉の本体に対向する面、及び、前記本体の前記下断熱扉に対向する面の双方を、後部が内側となる階段形状と成すと共に、対向する少なくとも二箇所以上をシール部材にてシールしたことを特徴とする請求項１、請求項２又は請求項３の自動販売機。
【発明の詳細な説明】
【０００１】
【発明の属する技術分野】
本発明は、商品収納庫の前面開口部を上下二枚の断熱扉にて開閉自在に閉塞して成る自動販売機に関するものである。
【０００２】
【従来の技術】
従来よりこの種自動販売機においては、例えば特開平５−５４２４６号公報（Ｇ０７Ｆ９／００）に示されるように、本体の収納庫内にアイスクリーム等の冷凍商品が装填された商品収納コラムを設置し、貨幣等の投入に伴う商品の販売時にこの商品収納コラムから商品を排出し、商品排出口から商品販売口に送出する構成がとられている。
【０００３】
次ぎに、図６〜図１０を参照して係る従来の自動販売機１００の構造を説明する。自動販売機１００の本体１０１の開口部１０３には、外扉１０２が開閉可能に枢支されており、この外扉１０２には図示しない硬貨投入口や、商品選択ボタン１２７等がそれぞれ配設されると共に、下部には前面を商品取出口１０４にて開放する商品販売口１０５が設けられている。前記商品取出口１０４は、上端を回動自在に枢支され、内側の商品販売口１０５側に回動して商品取出口１０４を開放する販売口扉１０６によって開閉自在に閉塞されている。
【０００４】
前記本体１０１は、断熱箱体１０７によって形成され、前面に開口部１０８を開口形成した商品収納庫１０９と、この商品収納庫１０９の下方に設けた機械室１１０とを有している。この機械室１１０内には商品収納庫１０９内の下部に設置した冷却器１１１と共に冷媒回路を構成する圧縮機１１２、凝縮器１１３等が配設されている。尚、１３１は冷却器１１１と熱交換した冷気を商品収納庫１０９内に循環する送風機であり、冷却器１１１の後方の商品収納庫１０９内に設置されると共に、１３２は凝縮器用送風機で、凝縮器１１３後方の機械室１１０内に設置されている。
【０００５】
また、商品収納庫１０９内上部には、前面から商品が装填されると共に、内部にスパイラル１１５が上下に設けられた商品収納コラム１１６が複数並設されている。アイスクリーム等の冷凍商品はこのスパイラル１１５内に所定間隔で装填される。また、各商品収納コラム１１６の上端には前記スパイラル１１５を回転させるための販売用モータ１２８が設けられ、更に、商品収納コラム１１６の下方にはスパイラル１１５によって排出落下される商品を外扉１０２の商品販売口１０５へ案内送出するための商品シュート１１７が設けられている。
【０００６】
商品収納庫１０９の前面開口部１０８は、上下に分割されてそれぞれ一側端を回動自在に軸支され、設置された上断熱扉１１８及び下断熱扉１１９によって開閉自在に閉塞されている。上側に位置する上断熱扉１１８は下端の後面を支持部材１２０に当接させ、商品収納コラム１１６の前方に対応する前面開口部１０８を閉塞可能とする。そして、この上断熱扉１１８を開いた状態で、前記商品収納コラム１１６に商品を装填する。
【０００７】
この場合、上断熱扉１１８の後面周縁部には四辺にガスケット１２１・・がそれぞれ取り付けられており、上及び左右のガスケット１２１は本体１０１に密接すると共に、下縁のガスケット１２１は支持部材１２０の前面上部に密接されている。この支持部材１２０は本体１０１の前面開口部１０８に左右に渡って取り付けられているものである。
【０００８】
一方、下側に位置する下断熱扉１１９は上端の後面を支持部材１２０に当接させて商品シュート１１７の前方に対応する前面開口部１０８を閉塞可能とすると共に、開いた状態で、商品シュート１１７、或いは、商品シュート１１７の後方に位置する冷却器１１１や送風機１３１の点検修理等のメンテナンスが行えるようにしている。このように上下断熱扉１１８、１１９はそれぞれ独立して開閉可能に設けられている。
【０００９】
この場合も、下断熱扉１１９の後面周縁部には四辺にガスケット１２６・・がそれぞれ取り付けられており、下及び左右のガスケット１２６は本体１０１に密接すると共に、下縁のガスケット１２６は支持部材１２０の前面下部に密接されている。
【００１０】
また、この下断熱扉１１９には商品シュート１１７に案内された商品を商品販売口１０５へ送出するための商品排出口１２２が開口形成されており、この商品排出口１２２の外側には商品収納コラム１１６から商品が排出落下された商品販売時に開扉する排出口扉１２３が設置されている。この排出口扉１２３は駆動モータ１２５により販売時に開閉動作されるものであった。
【００１１】
【発明が解決しようとする課題】
このように従来では商品収納庫１０９の前面開口部１０８に左右に渡って支持部材１２０を取り付け、この支持部材１２０に上断熱扉１１８下辺と下断熱扉１１９上辺のガスケット１２１、１２６をそれぞれ密着させて開口部１０８を閉塞する構造であったため、部品点数が多くなると共に、支持部材１２０の容積分、収納庫１０９の容積が縮小される欠点があった。
【００１２】
一方で、上断熱扉１１８は商品を装填する毎に開閉されるものであるが、下断熱扉１１９は冷却器１１１や送風機１３１の点検修理用の扉であるので、頻繁には開閉されないのが、現実である。
【００１３】
本発明は係る従来の技術的課題を解決するために成されたものであり、商品収納庫の前面開口部を開閉する上下断熱扉を備えたものにおいて、効率良く前面開口部の密閉を行うことができる自動販売機を提供することを目的とする。
【００１４】
【課題を解決するための手段】
請求項１の発明の自動販売機は、本体内に構成された商品収納庫の前面開口部を開閉自在に閉塞する上断熱扉及びこの上断熱扉の下側に位置する下断熱扉を備えて成るものであって、下断熱扉を上断熱扉よりも奥方に位置させ、本体の内側に配置すると共に、この上断熱扉の下部後面を下断熱扉の上部前面に密接させたものである。
【００１５】
請求項２の発明の自動販売機は、本体内に構成された商品収納庫内に設置された商品収納コラムと、この商品収納コラムの前方に位置して商品収納庫の前面開口上部を開閉自在に閉塞する商品装填用の上断熱扉と、この上断熱扉の下側に位置して商品収納庫の前面開口下部を開閉自在に閉塞すると共に、商品収納コラムからの商品を排出する商品排出口が形成された保守用の下断熱扉とを備えたものであって、下断熱扉を上断熱扉よりも奥方に位置させ、本体の内側に配置すると共に、この上断熱扉の下部後面を下断熱扉の上部前面に密接させたものである。
【００１６】
本発明によれば、自動販売機の下断熱扉を上断熱扉よりも奥方に位置させ、本体の内側に配置すると共に、この上断熱扉の下部後面を下断熱扉の上部前面に密接させるように構成したので、上下断熱扉間の密閉は両断熱扉同志の当接によって成されるようになる。
【００１７】
これにより、従来必要とされていた商品収納庫の前面開口部に位置する支持部材が不要となり、部品点数の削減が図れるようになると共に、商品収納庫の有効容積も拡大することができるようになる。また、下断熱扉の開閉は上断熱扉を開放した状態で行うことになるが、下断熱扉は上断熱扉の如く頻繁に開閉されるものではないので、実質的に支障は生じないものである。
【００１８】
請求項３の発明の自動販売機は、上記において上断熱扉の下部後面には下断熱扉の上部前面に密着するシール部材を設けたものである。
【００１９】
請求項３の発明によれば、上記に加えて上断熱扉の下部後面に下断熱扉の上部前面に密着するシール部材を設けたので、上下断熱扉間の密閉性を一層向上させることができるようになる。特に、下断熱扉の上部には従来の如きガスケットなどは不要となるので、これによっても部品点数の削減が図れるものである。
【００２０】
請求項４の発明の自動販売機は、上記において下断熱扉の本体に対向する面、及び、本体の下断熱扉に対向する面の双方を、後部が内側となる階段形状と成すと共に、対向する少なくとも二箇所以上をシール部材にてシールしたものである。
【００２１】
請求項４の発明によれば、上記に加えて本体の内側に配置された下断熱扉の本体に対向する面、及び、本体の下断熱扉に対向する面の双方を、後部が内側となる階段形状と成すと共に、対向する少なくとも二箇所以上をシール部材にてシールするようにしたので、下断熱扉左右及び下縁部における密閉性を向上させて、前面開口部における断熱性能の著しい向上を図ることができるようになるものである。
【００２２】
【発明の実施の形態】
次に、図面に基づき本発明の実施形態を詳述する。図１は本発明の自動販売機Ｖの正面図、図２は自動販売機Ｖの縦断側面図、図３は外扉２を外した状態の自動販売機Ｖの正面図、図４自動販売機Ｖの本体１の縦断側面図、図５は自動販売機Ｖの本体１下部の拡大縦断側面図をそれぞれ示している。
【００２３】
自動販売機Ｖはアイスクリームなどの冷凍商品を販売するものであり、その本体１の開口部３には、外扉２が開閉可能に枢支され、この外扉２には硬貨投入口３５や、商品選択ボタン２７等がそれぞれ配設されると共に、下部には前面を商品取出口４にて開放する商品販売口５が設けられている。前記商品取出口４は、上端を回動自在に枢支され、内側の商品販売口５側に回動して商品取出口４を開放する販売口扉６によって開閉自在に閉塞されている。
【００２４】
前記本体１は、断熱箱体７によって形成され、前面に開口部８を開口形成した商品収納庫９と、この商品収納庫９の下方に設けた機械室１０とを有している。この機械室１０内には商品収納庫９内の下部に設置した冷却器１１と共に冷媒回路を構成する圧縮機１２、凝縮器１３等が配設されている。尚、３１は冷却器１１と熱交換した冷気を商品収納庫９内に循環する送風機であり、冷却器１１の後方の商品収納庫９内に設置される。係る送風機３１の冷気強制循環によって、商品収納庫９内は所定の凍結温度に維持される。また、３２は凝縮器用送風機で、凝縮器１３後方の機械室１０内に設置されている。
【００２５】
また、商品収納庫９内上部には、前面から商品が装填されると共に、内部にスパイラル１５が上下に設けられた商品収納コラム１６が複数並設されている。そして、アイスクリーム等の冷凍商品はこのスパイラル１５内に所定間隔で装填される。また、各商品収納コラム１６の上端には前記スパイラル１５を回転させるための販売用モータ２８が設けられ、更に、商品収納コラム１６の下方にはスパイラル１５によって排出落下される商品を外扉２の商品販売口５へ案内送出するための商品シュート１７が設けられている。
【００２６】
そして、商品収納庫９の前面開口部８は、上断熱扉１８と下断熱扉１９とで開閉自在に閉塞される。この上断熱扉１８は、一側を回動自在に本体１に枢支されており、前面開口部８の上部に位置して商品収納コラム１６の前方を閉塞可能としている。そして、この上断熱扉１８を開いた状態で、前記商品収納コラム１６に商品を装填するものである。
【００２７】
また、上断熱扉１８の後面周縁部の四辺にはシール部材としてのガスケット２１・・がそれぞれ取り付けられており、上及び左右のガスケット２１は本体１に密接すると共に、下縁のガスケット２１は後述する如く下断熱扉１９の前面上部に密接する。
【００２８】
即ち、下側に位置する下断熱扉１９は本体１の内側に着脱自在に嵌め込まれ、商品シュート１７の前方に対応する前面開口部８の下部を閉塞可能とすると共に、開いた状態で、商品シュート１７、或いは、商品シュート１７の後方に位置する冷却器１１や送風機３１の点検修理等のメンテナンスが行えるようにしている。
【００２９】
この下断熱扉１９は閉じられた状態で、上断熱扉１８よりも奥方となり、その前面は本体１の前面と略面一となる。そして、上断熱扉１８の下縁のガスケット２１は前述の如く係る下断熱扉１９の上端部前面に密着するものである。
【００３０】
更に、本体１の開口縁にはブレーカ３３が取り付けられており、このブレーカ３３は図５（この図は下縁を示している）に拡大して示す如く後部が内側となる階段形状とされ、下断熱扉１９の下縁及び左右縁も同様の階段形状とされている。そして、下断熱扉１９が本体１の内側に取り付けられた状態で、これら階段形状の各面は図５の如く相互に対向すると共に、前方に指向するブレーカ３３の面３３Ａと対向する下断熱扉１９の面１９Ａと、面３３Ａの後方の前後方向に延在するブレーカ３３の面３３Ｂには軟質樹脂製のヒダ状シール部材３６、３７がそれぞれ一体に形成されている。
【００３１】
これらシール部材３６、３７によって、下断熱扉１９と本体１間は二重でシールされている。
【００３２】
また、この下断熱扉１９には商品シュート１７に案内された商品を商品販売口５へ送出するための商品排出口２２が開口形成されており、この商品排出口２２の外側には商品収納コラム１６から商品が排出落下された商品販売時に開扉する排出口扉２３が設置されている。この排出口扉２３は駆動モータ２５により販売時に開閉動作されるものである。
【００３３】
このように、本発明では下断熱扉１９を上断熱扉１８よりも奥方に位置させ、本体１の内側に配置すると共に、この上断熱扉１８の下部後面のガスケット２１を下断熱扉１９の上部前面に密着させるように構成したので、上下断熱扉１８、１９間の密閉は両断熱扉１８、１９同志の当接によって成されるようになる。
【００３４】
従って、従来必要とされていた図６の支持部材１２０が不要となり、部品点数の削減が図れるようになると共に、商品収納庫９の有効容積も拡大することができるようになる。尚、下断熱扉１９の開閉は上断熱扉１８を開放した状態で行うことになるが、下断熱扉１９はメンテナンス時に開閉されるのみで、上断熱扉１８の如く頻繁に開閉されるものではないので、実質的に支障は生じない。
【００３５】
また、下断熱扉１９の上部には図６のガスケット１２６などが不要となるので、これによっても部品点数の削減が図れる。更に、下断熱扉１９の左右及び下縁部はシール部材３６、３７によって二重でシールされるので、密閉性が向上し、前面開口部８における断熱性能の著しい向上を図ることができるようになる。
【００３６】
尚、実施例では図５の如く本体１の開口縁と下断熱扉１９の周縁を二段の階段状とし、二重のシールを行うようにしたが、更に多段の階段状として多数のシール部材により、多段階のシールを施せは密閉性は更に向上する。
【００３７】
【発明の効果】
以上詳述した如く本発明によれば、自動販売機の下断熱扉を上断熱扉よりも奥方に位置させ、本体の内側に配置すると共に、この上断熱扉の下部後面を下断熱扉の上部前面に密接させるように構成したので、上下断熱扉間の密閉は両断熱扉同志の当接によって成されるようになる。
【００３８】
これにより、従来必要とされていた商品収納庫の前面開口部に位置する支持部材が不要となり、部品点数の削減が図れるようになると共に、商品収納庫の有効容積も拡大することができるようになる。また、下断熱扉の開閉は上断熱扉を開放した状態で行うことになるが、下断熱扉は上断熱扉の如く頻繁に開閉されるものではないので、実質的に支障は生じないものである。
【００３９】
請求項３の発明によれば、上記に加えて上断熱扉の下部後面に下断熱扉の上部前面に密着するシール部材を設けたので、上下断熱扉間の密閉性を一層向上させることができるようになる。特に、下断熱扉の上部には従来の如きガスケットなどは不要となるので、これによっても部品点数の削減が図れるものである。
【００４０】
請求項４の発明によれば、上記に加えて本体の内側に配置された下断熱扉の本体に対向する面、及び、本体の下断熱扉に対向する面の双方を、後部が内側となる階段形状と成すと共に、対向する少なくとも二箇所以上をシール部材にてシールするようにしたので、下断熱扉左右及び下縁部における密閉性を向上させて、前面開口部における断熱性能の著しい向上を図ることができるようになるものである。
【図面の簡単な説明】
【図１】  本発明の自動販売機の正面図である。
【図２】  本発明の自動販売機の縦断側面図である。
【図３】  外扉を外した状態の本発明の自動販売機の正面図である。
【図４】  本発明の自動販売機の本体の縦断側面図である。
【図５】  本発明の自動販売機の本体下部の拡大縦断側面図である。
【図６】  従来の自動販売機の縦断側面図である。
【図７】  外扉を外した図６の自動販売機の正面図である。
【図８】  上下断熱扉を外した図７の自動販売機の正面図である。
【図９】  外扉を外した状態の図６の自動販売機のもう一つの正面図である。
【図１０】  図６の自動販売機の本体の縦断側面図である。
【符号の説明】
１  本体
８  前面開口部
９  商品収納庫
１６  商品収納コラム
１８  上断熱扉
１９  下断熱扉
２１  ガスケット（シール部材）
２２  排出口
２３  排出口扉
３６、３７  シール部材
【図１】
0003689899.tif 000002
【図２】
0003689899.tif 000003
【図３】
0003689899.tif 000004
【図４】
0003689899.tif 000005
【図５】
0003689899.tif 000006
【図６】
0003689899.tif 000007
【図７】
0003689899.tif 000008
【図８】
0003689899.tif 000009
【図９】
0003689899.tif 000010
【図１０】
0003689899.tif 000011